(57)【特許請求の範囲】
【請求項１】
エレベータの扉に設けられる防犯窓と、
防犯窓の少なくとも一部を占有するように設けられる薄型表示装置部と、
乗りかご内を撮影し、乗りかご内における異常行動を検出する防犯カメラ部と、
防犯カメラ部の出力に基づいて薄型表示装置部に表示する内容を撮影された乗りかご内の映像に切り替える画像切替装置部と、
薄型表示装置部は、乗場扉に設けられる乗場扉用の防犯窓に対応して、乗りかごのかご扉に設けられるかご扉用の防犯窓に設けられ、
有機ＥＬディスプレイを含んで構成されることを特徴とするエレベータ。
【請求項２】
請求項１に記載のエレベータにおいて、
薄型表示装置部は、防犯窓を構成する面のうち乗りかごの外側に位置する面に設けられることを特徴とするエレベータ。
【請求項３】
請求項１に記載のエレベータにおいて、
薄型表示装置部は、防犯窓の内部に埋め込まれて設けられることを特徴とするエレベータ。
【発明の詳細な説明】
【技術分野】
【０００１】
本発明は、エレベータに係り、特に、扉に設けられる防犯窓を有するエレベータに関する。
【背景技術】
【０００２】
現在、商業施設やマンションといった場所にエレベータが多く設けられているが、エレベータの乗りかご内において暴漢者等が存在する恐れがある。そのため、エレベータの運行時の乗りかご内における防犯対策として、例えば、特許文献１には、第１ガラス窓を有するカゴ扉が乗場通過時以外は乗場扉の第２ガラス窓をシャッター板で覆い、カゴ扉が乗場を通過時はシャッター板による第２ガラス窓の覆い状態を解除することを特徴とするエレベータ用防犯窓付扉の窓開閉方法が開示されている。
【０００３】
【特許文献１】特開平６−１７３５３９号公報
【発明の開示】
【発明が解決しようとする課題】
【０００４】
上記特許文献１の構成により、エレベータの乗りかご内に防犯窓を設けることで防犯効果を高めることができる。しかし、乗りかごのかご扉の高さは、乗りかごに乗っている人の身長よりもひとまわり以上も高く設定されており、防犯窓もそれに対応して高い位置まで設けられていることが多いが、防犯窓において人の身長より高い部分に位置する部分については、防犯としてあまり必要のない部分であるとも考えられる。したがって、その部分について、他の用途に利用できることが望ましい。
【０００５】
本発明の目的は、エレベータの防犯窓をより有効に活用できるエレベータを提供することである。
【課題を解決するための手段】
【０００６】
本発明に係るエレベータは、エレベータの扉に設けられる防犯窓と、防犯窓の少なくとも一部を占有するように設けられる薄型表示装置部と、乗りかご内を撮影し、乗りかご内における異常行動を検出する防犯カメラ部と、防犯カメラ部の出力に基づいて薄型表示装置部に表示する内容を撮影された乗りかご内の映像に切り替える画像切替装置部と、薄型表示装置部は、乗場扉に設けられる乗場扉用の防犯窓に対応して、乗りかごのかご扉に設けられるかご扉用の防犯窓に設けられ、有機ＥＬディスプレイを含んで構成されることを特徴とする。
【０００９】
また、本発明に係るエレベータにおいて、薄型表示装置部は、防犯窓を構成する面のうち乗りかごの外側に位置する面に設けられることが好ましい。
【００１０】
また、本発明に係るエレベータにおいて、薄型表示装置部は、防犯窓の内部に埋め込まれて設けられることが好ましい。
【発明の効果】
【００１２】
上記構成のエレベータによれば、防犯窓の少なくとも一部に薄型表示装置部が設けられている。したがって、防犯窓の上部の位置、例えば、防犯窓のうち人の身長よりも高い位置に薄型表示装置部を設けることで、エレベータの防犯窓を防犯として利用しながら、また、薄型表示装置部にＴＶ放送等を表示することで情報伝達手段としても利用できる。これにより、防犯窓をより有効に活用することができる。
【００１３】
上記構成の薄型表示装置部が防犯窓を構成する面のうち乗りかごの外側に位置する面に設けられたエレベータによれば、乗りかご内の乗客によって薄型表示装置部にいたずらされることを防止することができる。
【００１４】
上記構成の薄型表示装置部が防犯窓の内部に埋め込まれて設けられるエレベータによれば、乗りかご内の乗客によって薄型表示装置部にいたずらされることを防止することができる。
【００１５】
上記構成の防犯カメラ部と画像切替装置部とを備えるエレベータによれば、乗りかご内において異常な行動があった場合に、防犯カメラで撮影している内容を薄型表示装置部に映し出すことができる。これにより、防犯カメラで撮影した映像を薄型表示装置部に映し出すことで異常行動を行っている暴漢者等に対して威嚇することができる。
【発明を実施するための最良の形態】
【００１６】
以下に、本発明に係る実施の形態について添付図面を参照しながら詳細に説明する。また、以下では、薄型表示装置部が設けられる防犯窓は、かご扉に設けられる防犯窓として説明するが、乗場扉に設けられる防犯窓であってもよい。また、以下では、薄型表示装置部は有機ＥＬディスプレイを含んで構成されるものとして説明するが、その他の薄型表示装置を含んで構成してもよく、例えば、液晶ディスプレイを含んで構成してもよい。また、この説明において、具体的な形状、材料、数値、方向等は、本発明の理解を容易にするための例示であって、用途、目的、仕様等にあわせて適宜変更することができる。
【００１７】
図１は、本発明の第１実施形態であるエレベータ１０の乗りかご２内の様子を示す図である。エレベータ１０は、乗りかご２を移動させるために主ロープ７を巻き上げる巻上機（図示せず）とエレベータ制御盤（図示せず）とが昇降路の最下部であるいわゆるピット内に設置されている。乗りかご２は、乗客４を行き先階まで移動させるためのものであって、かご操作盤８と、かご扉６と、防犯窓２０と、薄型表示装置部３０とを含んで構成される。かご操作盤８は、乗りかご２内に設けられ乗りかご２の行き先を選択する押ボタンや表示パネル等が配置される操作盤である。
【００１８】
かご扉６は、乗りかご２が乗客４によって設定された行き先階に到着したときに開閉する扉である。また、かご扉６は、乗客４の身長（例えば１６５センチメートル程度）よりもひとまわり大きい高さ（例えば２２０センチメートル程度）を有する。かご扉６は、強度を確保する等の理由により、その厚みが大きく、例えば３センチメートル程度の厚みがある。
【００１９】
防犯窓２０は、適当な強度を有する強化ガラスを含んで構成され、かご扉６の上部から下部の位置にかけて設けられる。例えば、かご扉６において乗客４等の人よりもひとまわり高い位置（乗りかごの床から１９５センチメートルの高さ）から利用者の腰当たりの位置（乗りかごの床から１００センチメートルの高さ）まで設けられている。また、乗場扉には、防犯窓２０に対応して乗場扉用の防犯窓（図示せず）が設けられている。これにより、乗りかご２が停止あるいは通過した際に乗場側から乗りかご２内が見えるようになっており防犯効果を有する。また、防犯窓２０は、かご扉６の中心あたりをくり抜いて配置されるため、かご扉６の厚みと同じ厚み（例えば１０センチメートル程度）の窓を嵌め込んで構成されている。もちろん、強度が十分な場合には、かご扉６をくり抜いて、そのくり抜いた箇所において乗りかご２の内側と外側とに適当な厚み（例えば３センチメートル程度）の２つの窓を嵌め込んで、２つの窓の間を空洞にしてもよい。
【００２０】
図２は、エレベータ１０の乗りかご２内の上面図である。薄型表示装置部３０は、有機ＥＬディスプレイを含んで構成される。ここで、有機ＥＬディスプレイは、発光層が有機化合物のフィルムから成る発光ダイオードであって、有機化合物中に注入された電子と正孔の再結合によって生じた励起子によって発光する現象を利用している薄型ディスプレイである。有機ＥＬディスプレイは、発光層を含んだ有機層がほとんど透明である特長を活かして、この機能性有機膜を透明電極で挟むことで透明なディスプレイにすることができる。また、有機ＥＬディスプレイは、数ミリ程度の厚みで基板がフィルム状の樹脂から構成されており、狭い隙間や曲がった場所にも容易に設けることができる。これにより、薄型表示装置部３０は、図２に示されるように、乗りかご２において、防犯窓２０を構成する面のうち乗りかご２の外側に位置する面の上部に設けられる。例えば、人の身長よりも高い位置（乗りかごの床から１８０センチメートル以上）に設けられる。また、薄型表示装置部３０は、通常のＴＶ放送の他、エレベータ１０が設置される商業施設やマンション内の情報等を表示する装置である。
【００２１】
続いて、上記構成からなるエレベータ１０の動作について、図１，２を参照して説明する。エレベータ１０の乗りかご２に設けられたかご扉６における上部の位置、例えば人の身長よりも高い位置に薄型表示装置部３０が設けられている。これにより、乗りかご２内にいる乗客４は、薄型表示装置部３０に映し出されるＴＶ放送を楽しむことや、ビルやマンション内の情報等を得ることができる。また、薄型表示装置部３０は、乗りかご２の外側に設けられているため、乗客４からのいたずらを防止することができる。
【００２２】
なお、上記では、薄型表示装置部３０は、乗りかご２において防犯窓２０を構成する面のうち乗りかご２の外側に位置される面の上部であって、人の身長よりも高い位置に設けられるものとして説明したが、図３に示されるように、防犯窓２０の内部であって人の身長よりも高い位置（例えば乗りかごの床から１８０センチメートル以上）に埋め込まれて設けられていてもよい。
【００２３】
また、上記では、薄型表示装置部３０は、乗りかご２において防犯窓２０の一部ではなく全面に設けられていてもよい。薄型表示装置部３０は、映像を表示していないときは、ほとんど透明であるため、乗りかご２が乗場に到着したときや乗場を通過するときに薄型表示装置部３０の映像を停止するように制御することで、従来どおりの防犯効果についても有効にすることもできる。
【００２４】
次に、図４を参照して本発明の第２実施形態であるエレベータ１１について説明する。図４は、本発明の第２実施形態であるエレベータ１１の乗りかご３内の様子を示す図である。ここで、エレベータ１１は、上記第１実施形態のエレベータ１０とほぼ同様の構成を有するため、同一構成要素には同一符号を付して重複することとなる説明を援用によって省略し、異なる構成およびその作用について説明する。エレベータ１１は、防犯カメラ部４０と画像切替装置部５０とを有する点についてエレベータ１０と相違し、以下では、特に、その内容について詳細な説明を行う。
【００２５】
エレベータ１１は、さらに、防犯カメラ部４０と、画像切替装置部５０とを含んで構成される。防犯カメラ部４０は、乗りかご３内の様子を撮影する機能と、暴漢者等の動きを最新の画像解析技術で検出する機能とを有する。防犯カメラ部４０は、乗りかご３内を撮影した画像を、例えば４８００コマに分割、各コマに映っている人の動きの「向き」と「大きさ」を解析することで、暴漢者等によるトラブル等を検出することができる。具体的には、人が急激に上下左右に動く、または大きく、小さく不規則な動きを繰り返すなどの通常ではない現象が起きた場合には、「異常行動」があったと判断し、画像切替装置部５０に対して異常検出信号を出力する。
【００２６】
画像切替装置部５０は、防犯カメラ部４０と薄型表示装置部３０と電気的に接続され、防犯カメラ部４０が乗りかご３内において異常行動があったと判断し出力する異常検出信号を受けたときは、薄型表示装置部３０に防犯カメラ部４０が撮影している映像を映し出すように切り替えを行う。
【００２７】
続いて、上記構成からなるエレベータ１１の動作について、図４，５を参照して説明する。図５は、エレベータ１１において乗りかご３内に異常行動が起きた場合の薄型表示装置部３０の表示切替の手順について示すフローチャートである。エレベータ１１が通常に運転しているときは、薄型表示装置部３０には、ＴＶ放送が映し出され、あるいはビルやマンション内の情報が映し出される（Ｓ２）。そして、防犯カメラ部４０は、乗りかご３内の様子を撮影し、異常行動があったか否かを判断する（Ｓ４）。異常行動がないと判断した場合には、再びＳ４に戻る。
【００２８】
異常行動があると判断した場合には、防犯カメラ部４０は、画像切替装置部５０に対して異常検出信号の出力を行う（Ｓ６）。そして、異常検出信号を受けた画像切替装置部５０は、薄型表示装置部３０の表示切替を行い、薄型表示装置部３０には乗りかご３内の映像が映し出される（Ｓ８）。これにより、薄型表示装置部３０に映し出された映像を映し出すことで異常行動を行っている暴漢者等に対して威嚇することができる。
【図面の簡単な説明】
【００２９】
【図１】本発明の第１実施形態であるエレベータの乗りかご内の様子を示す図である。
【図２】本発明の第１実施形態であるエレベータの乗りかご内の上面図である。
【図３】本発明の第１実施形態の変形例であるエレベータの乗りかご内の上面図である。
【図４】本発明の第２実施形態であるエレベータの乗りかご内の様子を示す図である。
【図５】本発明の第２実施形態であるエレベータにおいて乗りかご内に異常行動が起きた場合の薄型表示装置部の表示切替の手順について示すフローチャートである。
【符号の説明】
【００３０】
４  乗客、６  かご扉、７  主ロープ、８  かご操作盤、１０，１１  エレベータ、２０  防犯窓、３０  薄型表示装置部、４０  防犯カメラ部、５０  画像切替装置部。
【図１】
0005140471.tif 000002
【図２】
0005140471.tif 000003
【図３】
0005140471.tif 000004
【図４】
0005140471.tif 000005
【図５】
0005140471.tif 000006